(57)【要約】【課題】録画中に放送番組がコピーフリーからコピーワンスとなっても録画を継続できる録画再生装置を提供する。【解決手段】Ｖｉｄｅｏフォーマット４３ａにより放送番組の録画を記録媒体３へ行っている際に、放送電波から著作権保護情報を著作権保護情報検出手段４４により検知した場合、マイコン４が有する録画制御手段４１は、録画を停止すると共に録画形式選択手段４２により録画形式をＶＲフォーマット４３ｂに変更する。Ｖｉｄｅｏフォーマットにより録画していた録画データは、ファイナライズ時にＶＲフォーマット４３ｂによるファイルシステムを記録する際に、所定のディレクトリを作成し、該ディレクトリに属するように記録することで、Ｖｉｄｅｏフォーマット４３ａによる録画データを損なうことなく、記録媒体３をＶＲフォーマット４３ｂによる録画がなされた記録媒体とすることができる。【選択図】図１
2007123997.tif 000002
【特許請求の範囲】
【請求項１】
少なくとも著作権保護技術に対応した録画形式であるＶＲ（Ｖｉｄｅｏ  Ｒｅｃｏｒｄｉｎｇ）フォーマットと、著作権保護技術に未対応の録画形式であるＶｉｄｅｏフォーマットを有し、
放送番組の録画若しくは録画予約の際の録画形式を前記２つの録画形式から選択する録画形式選択手段と、
前記放送番組を前記録画形式選択手段により選択した録画形式により記録媒体に対して録画を行う録画手段と
録画開始時若しくは録画中に前記放送番組から著作権保護情報を検出する著作権保護情報検出手段と、
を備える放送番組の録画及び録画予約をすることができる録画再生装置において、
前記放送番組の録画時に、前記録画形式から前記Ｖｉｄｅｏフォーマットを選択し、
前記放送番組の録画開始時若しくは録画中に前記著作権保護情報検出手段により検出した著作権保護情報が一回のみコピー可能であることを示すコピーワンスである場合、
前記録画手段が前記Ｖｉｄｅｏフォーマットによる前記放送番組の録画を記録媒体に行っている際に、
自動的に前記Ｖｉｄｅｏフォーマットによる録画を中止し、
録画形式を前記ＶＲフォーマットに変更して、前記記録媒体に前記放送番組の録画を行う録画制御手段を備えることを特徴とする録画再生装置。
【請求項２】
前記録画制御手段は、録画形式を前記ＶＲフォーマットに変更した際の記録媒体の録画開始セクタを、前記Ｖｉｄｅｏフォーマットによる既存の録画データの最終セクタの次のセクタとすることを特徴とする請求項１に記載の録画再生装置。
【請求項３】
前記録画制御手段は、前記ＶＲフォーマットに変更して行った録画の終了処理を行う際に、前記ＶＲフォーマットのファイルシステムを記録媒体に記録すると共に、該ファイルシステムに、中止前の前記Ｖｉｄｅｏフォーマットによる録画データを示す管理情報を含めて前記記録媒体に記録することを特徴とする請求項１又は２に記載の録画再生装置。
【請求項４】
前記録画制御手段は、前記ＶＲフォーマットに変更して行った録画の終了時に、所定のディレクトリを作成し、前記Ｖｉｄｅｏフォーマットより録画された録画データ及び該録画データの管理情報を、前記所定のディレクトリに属するよう前記記録媒体のファイルシステムとして記録させることを特徴とする請求項１から３の何れか１項に記載の録画再生装置。
【請求項５】
ＶＲフォーマットによる管理情報及び録画データを有する記録媒体を再生する際に、記録媒体の管理情報内に記録されたディレクトリ構造に、所定のディレクトリが存在し、該ディレクトリ内にＶｉｄｅｏフォーマットによる管理情報及び録画データが存在するかを識別し、該管理情報及び録画データが存在した場合、前記ＶＲフォーマットによる録画データ若しくは前記Ｖｉｄｅｏフォーマットによる録画データの何れを再生するか選択する再生データ選択手段を有することを特徴とする録画再生装置。
【請求項６】
ＶＲフォーマットによる映像や音声、その他電子データを記録可能な記録媒体において、そのルートディレクトリ下に、Ｖｉｄｅｏフォーマットによる管理情報と、映像や音声及びその他電子データを記録する、所定の名前を有するディレクトリを有するディレクトリ構造を備えることを特徴とする記録媒体。
【発明の詳細な説明】
【技術分野】
【０００１】
本発明は、録画中に放送番組の著作権保護情報がコピーフリー（複製無制限）からコピーワンス（一回のみ複製可）に変更した場合でも、記録媒体の変更や初期化処理を行わずに録画を継続することができる録画再生装置及び記録媒体に関する。
【背景技術】
【０００２】
従来の録画再生装置において、放送信号などに重畳される著作権保護情報に基づいて、録画フォーマットや記録媒体の変更を自動的に行う方法が開示されている。
【０００３】
例えば、特許文献１ではコピー制御情報と記録媒体の種別情報を組み合わせてコピー制御情報に適した記録媒体の種別を検索する方法が開示されている。
【０００４】
また、特許文献２では、コピーワンス（１回のみ記録可能）録画時のＨＤＤ（ハードディスクドライブ）又は着脱可能メディアの振り分けを行う方法が開示されている。
【０００５】
【特許文献１】特開平１１−２９６９６７号公報
【特許文献２】特開２００４−２８０９７７号公報
【０００６】
しかしながら、特許文献１及び特許文献２の方法では、指定した記録媒体への録画を行うことができず、録画自体は成功するが、ユーザが所望の記録媒体への録画の継続を行うことができない。
【発明の開示】
【発明が解決しようとする課題】
【０００７】
本発明は上記課題を鑑みてなされたものであり、録画中にコピーフリーからコピーワンスへ放送番組の著作権保護情報が変更された場合、記録媒体の変更を行わず且つ録画の停止を行わずに、対応した録画形式にて放送番組の録画を継続することができる録画再生装置及び記録媒体を提供することを目的とする。
【課題を解決するための手段】
【０００８】
請求項１に係る録画再生装置は、少なくとも著作権保護技術に対応した録画形式であるＶＲ（Ｖｉｄｅｏ  Ｒｅｃｏｒｄｉｎｇ）フォーマットと、著作権保護技術に未対応の録画形式であるＶｉｄｅｏフォーマットを有し、
放送番組の録画若しくは録画予約の際の録画形式を前記２つの録画形式から選択する録画形式選択手段と、
前記放送番組を前記録画形式選択手段により選択した録画形式により記録媒体に対して録画を行う録画手段と
録画開始時若しくは録画中に前記放送番組から著作権保護情報を検出する著作権保護情報検出手段と、
を備える放送番組の録画及び録画予約をすることができる録画再生装置において、
前記放送番組の録画時に、前記録画形式から前記Ｖｉｄｅｏフォーマットを選択し、
前記放送番組の録画開始時若しくは録画中に前記著作権保護情報検出手段により検出した著作権保護情報が一回のみコピー可能であることを示すコピーワンスである場合、
前記録画手段が前記Ｖｉｄｅｏフォーマットによる前記放送番組の録画を記録媒体に行っている際に、
自動的に前記Ｖｉｄｅｏフォーマットによる録画を中止し、
録画形式を前記ＶＲフォーマットに変更して、前記記録媒体に前記放送番組の録画を行う録画制御手段を備えることを特徴とする。
【０００９】
請求項１の構成によれば、放送番組をＶｉｄｅｏフォーマットにより録画している際に、著作権保護情報の、コピーフリーからコピーワンスへの変更を著作権保護情報検出手段が検出した場合、Ｖｉｄｅｏフォーマットによる録画を停止させ、録画形式をＶＲフォーマットに変更することができる。
【００１０】
請求項２に係る録画再生装置は、請求項１に記載の録画再生装置において、前記録画制御手段は、録画形式を前記ＶＲフォーマットに変更した際の記録媒体の録画開始セクタを、前記Ｖｉｄｅｏフォーマットによる既存の録画データの最終セクタの次のセクタとすることを特徴とする。
【００１１】
請求項２の構成によれば、Ｖｉｄｅｏフォーマットによる録画データを上書きしないために、ＶＲフォーマットによる録画データの先端のセクタを、Ｖｉｄｅｏフォーマットによる録画データの終端の次のセクタとする。
【００１２】
請求項３に係る録画再生装置は、請求項１又は２に記載の録画再生装置において、前記録画制御手段は、前記ＶＲフォーマットに変更して行った録画の終了処理を行う際に、前記ＶＲフォーマットのファイルシステムを記録媒体に記録すると共に、該ファイルシステムに、中止前の前記Ｖｉｄｅｏフォーマットによる録画データを示す管理情報を含めて前記記録媒体に記録することを特徴とする。
【００１３】
請求項３の構成によれば、ＶＲフォーマットによる録画が行われた記録媒体にＶＲフォーマットのファイルシステムを記録する際に、Ｖｉｄｅｏフォーマットによる録画が停止される前の状態の、終了処理を行う前のＶｉｄｅｏフォーマットの管理情報を、ＶＲフォーマットのファイルシステムに含めて記録する。
【００１４】
請求項４に係る録画再生装置は、請求項１から３の何れか１項に記載の録画再生装置において、前記録画制御手段は、前記ＶＲフォーマットに変更して行った録画の終了時に、所定のディレクトリを作成し、前記Ｖｉｄｅｏフォーマットより録画された録画データ及び該録画データの管理情報を、前記所定のディレクトリに属するよう前記記録媒体のファイルシステムとして記録させることを特徴とする。
【００１５】
請求項４の構成によれば、停止されたＶｉｄｅｏフォーマットによる録画データを、所定のディレクトリに属させることで、該録画データの所在を明確にすることができる。
【００１６】
請求項５に係る録画再生装置は、ＶＲフォーマットによる管理情報及び録画データを有する記録媒体を再生する際に、記録媒体の管理情報内に記録されたディレクトリ構造に、所定のディレクトリが存在し、該ディレクトリ内にＶｉｄｅｏフォーマットによる管理情報及び録画データが存在するかを識別し、該管理情報及び録画データが存在した場合、前記ＶＲフォーマットによる録画データ若しくは前記Ｖｉｄｅｏフォーマットによる録画データの何れを再生するか選択する再生データ選択手段を有することを特徴とする。
【００１７】
請求項５の構成によれば、録画再生装置は、セットされたＶＲフォーマットと認識できる記録媒体のディレクトリ構造に、特定のディレクトリが存在する場合、当該ディレクトリにアクセスし、当該ディレクトリにＶｉｄｅｏフォーマットによる管理情報及び録画データが存在するかを識別することができ、管理情報及び録画データが存在する場合は、ＶＲフォーマットによる通常の録画データか、特定ディレクトリに存在するＶｉｄｅｏフォーマットによる録画データから再生するデータを選択することができる。
【００１８】
請求項６に係る記録媒体は、ＶＲフォーマットによる映像や音声、その他電子データを記録可能な記録媒体において、そのルートディレクトリ下に、Ｖｉｄｅｏフォーマットによる管理情報と、映像や音声及びその他電子データを記録する、所定の名前を有するディレクトリを有するディレクトリ構造を備えることを特徴とする。
【００１９】
請求項６の構成によれば、ＶＲフォーマットとして録画再生装置に識別される記録媒体に、Ｖｉｄｅｏフォーマットによるデータを混在させることが可能となる。
【発明の効果】
【００２０】
請求項１に係る録画再生装置は、少なくとも著作権保護技術に対応した録画形式であるＶＲ（Ｖｉｄｅｏ  Ｒｅｃｏｒｄｉｎｇ）フォーマットと、著作権保護技術に未対応の録画形式であるＶｉｄｅｏフォーマットを有し、
放送番組の録画若しくは録画予約の際の録画形式を前記２つの録画形式から選択する録画形式選択手段と、
前記放送番組を前記録画形式選択手段により選択した録画形式により記録媒体に対して録画を行う録画手段と
録画開始時若しくは録画中に前記放送番組から著作権保護情報を検出する著作権保護情報検出手段と、
を備える放送番組の録画及び録画予約をすることができる録画再生装置において、
前記放送番組の録画時に、前記録画形式から前記Ｖｉｄｅｏフォーマットを選択し、
前記放送番組の録画開始時若しくは録画中に前記著作権保護情報検出手段により検出した著作権保護情報が一回のみコピー可能であることを示すコピーワンスである場合、
前記録画手段が前記Ｖｉｄｅｏフォーマットによる前記放送番組の録画を記録媒体に行っている際に、
自動的に前記Ｖｉｄｅｏフォーマットによる録画を中止し、
録画形式前記ＶＲフォーマットに変更して、前記記録媒体に前記放送番組の録画を行う録画制御手段を備えるので、コピーフリーである放送番組のＶｉｄｅｏフォーマットによる録画中に、コピーワンスへ前記放送番組の著作権保護情報が変わっても、記録媒体を入れ替えることなく、ＶＲフォーマットに変更することができ、記録媒体入れ替えの時間的ロスによる放送番組の録画映像の一部欠落や録画失敗を防ぐことができる。
【００２１】
請求項２に係る録画再生装置は、請求項１に記載の録画再生装置において、前記録画制御手段は、録画形式を前記ＶＲフォーマットに変更した際の記録媒体の録画開始セクタを、前記Ｖｉｄｅｏフォーマットによる既存の録画データの最終セクタの次のセクタとするので、Ｖｉｄｅｏフォーマットによる録画データを損なうことなく、ＶＲフォーマットによる録画データの記録を行うことができ、これにより、録画中である放送番組の録画映像の一部欠落や録画失敗などを防ぐことができる。
【００２２】
請求項３に係る録画再生装置は、請求項１又は２に記載の録画再生装置において、前記録画制御手段は、前記ＶＲフォーマットに変更して行った録画の終了処理を行う際に、前記ＶＲフォーマットのファイルシステムを記録媒体に記録すると共に、該ファイルシステムに、中止前の前記Ｖｉｄｅｏフォーマットによる録画データを示す管理情報を含めて前記記録媒体に記録するので、記録媒体をＶＲフォーマットとして終了処理を行った後も、ＶＲフォーマットのファイルシステムに、Ｖｉｄｅｏフォーマットの管理情報を含めることで、録画後にＶｉｄｅｏフォーマットの録画データにアクセスすることを容易に行うことができる。
【００２３】
請求項４に係る録画再生装置は、請求項１から３の何れか１項に記載の録画再生装置において、前記録画制御手段は、前記ＶＲフォーマットに変更して行った録画の終了時に、所定のディレクトリを作成し、前記Ｖｉｄｅｏフォーマットより録画された録画データ及び該録画データの管理情報を、前記所定のディレクトリに属するよう前記記録媒体の管理情報として記憶させるので、本発明の録画再生装置により放送番組の録画が行われた記録媒体は、所定のディレクトリが存在することを認識するだけで、Ｖｉｄｅｏフォーマットによる録画データが存在するかを判別することができる。
【００２４】
請求項５に係る録画再生装置は、ＶＲフォーマットによる管理情報及び録画データを有する記録媒体を再生する際に、記録媒体の管理情報内に記録されたディレクトリ構造に、所定のディレクトリが存在し、該ディレクトリ内にＶｉｄｅｏフォーマットによる管理情報及び録画データが存在するかを識別し、該管理情報及び録画データが存在した場合、前記ＶＲフォーマットによる録画データ若しくは前記Ｖｉｄｅｏフォーマットによる録画データの何れを再生するか選択する再生データ選択手段を有するので、ＶＲフォーマットにより映像が録画された記録媒体がセットされた場合、Ｖｉｄｅｏフォーマットによる映像データが存在するディレクトリの有無を判別し、両フォーマットによる映像データがそれぞれ存在する場合、そのどちらかを再生することができる。
【００２５】
請求項６に係る記録媒体は、ＶＲフォーマットによる映像や音声、その他電子データを記録可能な記録媒体において、そのルートディレクトリ下に、Ｖｉｄｅｏフォーマットによる管理情報と、映像や音声及びその他電子データを記録する、所定の名前を有するディレクトリを有するディレクトリ構造を備えるので、ＶＲフォーマットによる記録媒体に、所定の名前のディレクトリを作成し、該ディレクトリにＶｉｄｅｏフォーマットのデータを記録できるので、同一の記録媒体に異なるフォーマットのデータを混在させることができる。
【発明を実施するための最良の形態】
【００２６】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【００２７】
図１から図４は、本発明の実施例を示し、図１は、本実施例の録画再生装置の構成を示すブロック図である。図２は、録画再生装置による録画時の録画形式変更の動作を示すフローチャート図である。図３は、図２のフローチャート図による録画再生装置の動作により、記録媒体に記録されるデータのデータ構造例を示す説明図である。図４は、図２の動作により記録媒体に記録されるデータのディレクトリ構成を示す説明図である。
【００２８】
本実施例における録画再生装置の構成を、図１に基づいて説明する。１は録画再生装置である。２は図示しないアンテナなどにより得られる放送電波を受信するチューナである。３は映像などを記録するディスク状の記録媒体である。４はマイコンであり、後述の各手段を有するものである。４１は録画時の録画再生装置の動作を制御する録画制御手段である。４２は後述の複数の録画形式から指定された録画形式を選択するための録画形式選択手段である。４３は録画形式であり、著作権保護情報未対応フォーマットであるＶｉｄｅｏフォーマット４３ａと、著作権保護情報対応フォーマットであるＶＲフォーマット４３ｂを含むものである。４４は放送電波に重畳される放送番組の著作権保護情報を検出する著作権保護情報検出手段である。４５は映像データを記録した記録媒体のディレクトリ構造に特定の構造が見られ、且つ該ディレクトリ内部にも映像データが存在する場合に、どちらの映像データの再生を行うかを選択するための再生データ選択手段である。４６は図示しない操作部や後述のリモコンなどのユーザによる録画再生装置１の動作指示を処理するキー処理部である。４７はチューナ若しくは記録媒体からの映像の表示処理を行う表示処理部である。４８はマイコン内部の各手段や処理部と後述の記憶手段であるメモリ部とのデータのやりとりを制御するための制御部である。５はチューナや記録媒体及びマイコンから送られる映像及び音声を処理する映像音声処理部であり、６は録画再生装置１の動作に必要なデータなどを一時的に記憶する先述のメモリ部であり、図７は録画再生装置１の動作をユーザが指示するためのリモコンである。８は映像音声処理部５から送られる映像及び音声を表示する表示部若しくは表示装置である。
【００２９】
録画再生装置１が備える録画制御手段４１の、録画時における録画形式の変更動作を、図２に基づいて説明する。本動作は、既に放送番組の録画予約設定が行われている状態と仮定する。予約指定時刻になると、予約した放送番組に対して、録画動作が開始される（Ｓ１００１）。放送番組の著作権保護情報としてコピーワンスを示す信号が重畳されているかを著作権保護情報検出手段４４により検知する（Ｓ１００２）。ここでコピーワンス信号を検知できない場合は、更にコピーネバー（録画不可）信号が重畳されているかを、同じく著作権保護情報検出手段４４により検知し（Ｓ１００３）、コピーネバー信号を検知できない場合は、指定された録画終了時間になるまでステップＳ１００１に戻り（Ｓ１００４）、録画処理を続ける。コピーネバー信号を検知した場合は、録画をすることができないとして、録画終了処理を行い（Ｓ１００５）、予約録画動作を終了する（Ｓ１０１８）。ステップＳ１００２で、コピーワンス信号が検知された場合、予約録画で指定された記録媒体のフォーマット（録画形式）を確認する（Ｓ１００６）。指定フォーマットを判別し（Ｓ１００７）、指定フォーマットがＶＲフォーマット４３ｂの場合は、フォーマットを変更する必要がないので、ステップＳ１００３に移行する。指定フォーマットがＶｉｄｅｏフォーマット４３ａである場合、放送番組の録画を停止し、記録媒体に記録されたデータの終端セクタを検索する（Ｓ１００８）。検索した終端セクタの次のセクタから、録画形式選択手段４２により録画形式４３からＶＲフォーマット４３ｂを選択し、放送番組のＶＲフォーマット４３ｂによる録画を開始する（Ｓ１００９）。放送番組の録画中に、著作権保護情報のコピーワンス信号からコピーネバー信号への変更が検知されるか（Ｓ１０１０）、記録媒体の空き領域が足りなくなるか（Ｓ１０１１）、ユーザから録画中止の操作があるか（Ｓ１０１２）、予約録画にて指定された終了時間に達したか（Ｓ１０１３）をそれぞれ判別し、該当する場合は放送番組の録画を停止する（Ｓ１０１４）。ステップＳ１０１０〜Ｓ１０１３の何れの条件にも該当しない場合は、録画処理を続行する。ステップＳ１０１４にて放送番組の録画を停止したら、フォーマット変更前、即ちＶｉｄｅｏフォーマット４３ａによる録画データの未ファイナライズ（ファイナライズ＝終了処理）時の管理情報をメモリ部６に格納する（Ｓ１０１５）。ＶＲフォーマット４３ｂによる管理情報を構成し、後述のファイルシステムを記録するための予約エリアに対してＶＲフォーマットによるファイルシステムの記録を行う（Ｓ１０１６）。この時、ＶＲフォーマットによる放送番組の録画データは、Ｖｉｄｅｏフォーマット４３ａによる録画データの終端セクタの次のセクタから始まることをファイルシステムに記録する。次にＶＲフォーマット４３ｂによるファイルシステムに、例えば「Ｔｅｍｐｏｒａｒｙ  Ｖｉｄｅｏ」ディレクトリを作成し、該ディレクトリにステップＳ１０１５にて作成したＶｉｄｅｏフォーマット４３ａでの未ファイナライズ時の管理情報を格納し（Ｓ１０１７）、予約録画動作を終了する（Ｓ１０１８）。
【００３０】
上述の録画形式変更動作により作成される記録媒体のデータ構造について、図３に基づいて説明する。図３（ａ）はＶｉｄｅｏフォーマット４３ａにより記録された、ファイナライズ（終了処理）が為されていない状態の記録媒体のデータ構造例である。記憶領域先端にファイナライズ時のファイルシステムを記録するための予約エリアを設け、それに続く管理情報を記録するための所定のエリアに、Ｖｉｄｅｏフォーマット４３ａによる記録データの管理情報を記録し、録画データを記録する領域にＶｉｄｅｏフォーマット４３ａによるデータの記録を行う。
【００３１】
図３（ｂ）は、図２のステップＳ１００８におけるＶｉｄｅｏフォーマット４３ａからＶＲフォーマット４３ｂに変更して放送番組を記録する際の記録媒体のデータ構造例を示している。このとき、記録媒体自体の記録形式の変更は行わず、Ｖｉｄｅｏフォーマット４３ａの記録が終了した終端セクタの次のセクタから、録画データのみをＶＲフォーマット４３ｂとして、記録媒体への記録を行う。これにより、Ｖｉｄｅｏフォーマット４３ａ時の録画データを損なうことなく、ＶＲフォーマット４３ｂによる記録媒体への記録が可能になる。
【００３２】
図３（ｃ）は、Ｖｉｄｅｏフォーマット４３ａからＶＲフォーマット４３ｂに記録形式を変更して行われた録画が終了し、ファイナライズ（終了処理）が行われた状態の記録媒体のデータ構造例を示している。ＶＲフォーマット４３ｂによる記録が行われた記録媒体として、ファイナライズ時ファイルシステム予約エリアにＶＲフォーマット４３ｂによるファイルシステムを記録する。そのとき、事前に記録されているＶｉｄｅｏフォーマット４３ａによる未ファイナライズ時の管理情報を、所定のディレクトリ（本実施例では「Ｔｅｍｐｏｒａｒｙ  Ｖｉｄｅｏ」ディレクトリ）に属するよう記録し、管理情報用記録エリアの未使用領域にＶＲフォーマット４３ｂによる管理情報を記録することでファイナライズの終了とする。
【００３３】
以上のようなデータ構造により、通常はＶＲフォーマット４３ｂにより録画が行われた記録媒体として認識することができ、「Ｔｅｍｐｏｒａｒｙ  Ｖｉｄｅｏ」ディレクトリにアクセスすることにより、ＶＲフォーマット４３ｂに変更する以前の、Ｖｉｄｅｏフォーマット４３ａにより録画が行われた映像データを取得することができる。
【００３４】
次に、上述の録画形式変更動作により作成される記録媒体のディレクトリ構造について、図４に基づいて説明する。通常ＶＲフォーマットによる録画映像若しくは記録データを管理するディレクトリ構造は、Ｒｏｏｔディレクトリ内部にＲＴＲ＿ＲＴＡＶディレクトリが存在し、ＲＴＲ＿ＲＴＡＶディレクトリ内部に、チャプター等の管理ファイル（図中におけるＶＲ＿ＭＡＮＧＲ．ＩＦＯ）や、バックアップファイル（同ＶＲ＿ＭＡＮＧＲ．ＢＵＰ）、録画映像などのデータファイル（同ＶＲ＿ＭＯＶＩＥ．ＶＲＯ）が記録されている。本実施例における録画再生装置は、このＲＴＲ＿ＲＴＡＶディレクトリの他に、前述の「Ｔｅｍｐｏｒａｒｙ  Ｖｉｄｅｏ」ディレクトリを作成し、該ディレクトリに録画中に停止されたＶｉｄｅｏフォーマットによる録画映像を記録するものである。このディレクトリ内部には、未ファイナライズ時のＶｉｄｅｏフォーマットによる録画映像の管理情報ファイル（図中におけるＴｅｍｐｏｒａｒｙ  Ｖｉｄｅｏ．ＩＦＯ）、及び録画映像ファイル（同ＶＴＳ＿０１＿１．ＶＯＢ、ＶＴＳ＿０１＿２．ＶＯＢ、ＶＴＳ＿０２＿２．ＶＯＢ、）が記録される。
【００３５】
この特殊なディレクトリ構造を録画再生装置１で検知することにより、ＶＲフォーマットの記録媒体に記録されたＶｉｄｅｏフォーマットの録画映像の存在を認識することができ、録画再生装置１が有する再生データ選択手段４５により、ユーザがＶＲフォーマットによる録画映像か、Ｖｉｄｅｏフォーマットによる録画映像かをリモコン７により指示し、再生データ選択手段により選択することで再生することができる。
【００３６】
以上のような録画再生装置１において、放送番組の録画時、著作権保護情報がコピーフリーの状態からコピーワンスの状態に変更した際に、コピーワンスに対応しない記録形式であるＶｉｄｅｏフォーマットにて録画が行われていたとしても、録画再生装置１が自動的にコピーワンス対応であるＶＲフォーマットを用いての録画に変更することにより、著作権保護情報に関わらず確実に録画を行うことができる。また、ＶＲフォーマットに変更をする際に、記録媒体の変更を行わず、フォーマット変更処理を録画終了時に行うことで、記録媒体の変更や初期化にかかる時間も無いため、放送番組の録画を最優先で行うことができ、これによりユーザが所望の記録媒体に放送番組の全てを録画することができる。更に、記録媒体を、ＶＲフォーマットへの変更を行っても、事前に録画されたＶｉｄｅｏフォーマットの映像及び管理情報を、ＶＲフォーマット上のディレクトリである「Ｔｅｍｐｏｒａｒｙ  Ｖｉｄｅｏ」ディレクトリに属するディレクトリ構造を構成したことで、記録媒体のフォーマットを変更する前後の、Ｖｉｄｅｏフォーマットの録画映像及びＶＲフォーマットの録画映像を、共に消去若しくは欠落することなく記録媒体に録画することができる。また、このＶＲフォーマットの記録媒体のディレクトリ構造を参照し、「Ｔｅｍｐｏｒａｒｙ  Ｖｉｄｅｏ」ディレクトリが存在し、且つ該ディレクトリにＶｉｄｅｏフォーマットによる管理情報及び録画データが存在する場合は、ＶＲフォーマットの録画データ及びＶｉｄｅｏフォーマットの録画データから、ユーザの選択により再生することができる。
【００３７】
以上、本発明の実施例を詳述したが、本発明は前記実施例に限定されるものではなく、本発明の要旨の範囲内で種々の変形実施が可能である。例えば、本実施例を、記録媒体を１つとして説明したが、これに限定せず、複数の記録媒体への記録及び再生を行うことが可能な複合機としても良い。また、録画フォーマットが変更される前のファイルシステムを記録するディレクトリを「Ｔｅｍｐｏｒａｒｙ  Ｖｉｄｅｏ」ディレクトリとしたが、これに限定せず、ＶＲフォーマットの規格を逸脱しない、本実施例における機能を実現可能なディレクトリ名であれば、どんな名前を用いても何ら問題は無い。また、録画フォーマットの変更前の管理情報などをメモリ部６に一時記憶をするとしたが、これに限定せずに、他の記憶媒体を複数備えるような複合機において、他の記憶媒体に一時記憶をするよう構成しても何ら問題は無い。
【図面の簡単な説明】
【００３８】
【図１】本発明の実施例における、録画再生装置の構成を示すブロック図である。
【図２】同上、録画制御手段の録画フォーマット変更動作を示すフローチャート図である。
【図３】同上、録画フォーマット変更動作により作成される記録媒体のデータ構造例を示す説明図である。
【図４】同上、録画フォーマット変更動作により作成される記録媒体のディレクトリ構造例を示す説明図である。
【符号の説明】
【００３９】
１      録画再生装置
３      記録媒体
４      マイコン
４１    録画制御手段
４２    録画形式選択手段
４３    録画形式
４３ａ  Ｖｉｄｅｏフォーマット
４３ｂ  ＶＲフォーマット
４４    著作権保護情報検出手段
４５    再生データ選択手段
【図１】
2007123997.tif 000003
【図２】
2007123997.tif 000004
【図３】
2007123997.tif 000005
【図４】
2007123997.tif 000006